(57)【要約】  【課題】  光ディスクへのパレンタルレベルの書き込みを不要とし、また、パレンタルレベルが書き込まれていない光ディスクであっても、視聴制限することができる機能を有する光ディスク再生装置を提供する。  【解決手段】  有害語句情報とユーザの個人情報とをフラッシュＲＯＭ２３に予め記憶しておき、光ディスク１に対する再生処理が開始し、光ディスク１から読み出された音声情報に前記有害語句情報に含まれる有害語句が有る場合は、前記記憶されている個人情報を持っていて視聴権限を有するユーザにのみ、有害語句の音声も再生可能にするシステムコントローラ２２を備えたので、光ディスクへのパレンタルレベルの書き込み作業が不要になり、また、パレンタルレベルが書き込まれていない光ディスクであっても、視聴制限を行うことができる。【選択図】      図１
2005086483.tif 000002
【特許請求の範囲】
【請求項１】
光ディスクに記録された情報を再生する光ディスク再生装置において、変更可能な設定
年齢以下の視聴者にとっては有害となる有害語句情報と、視聴権限を有する一人以上のユ
ーザの個人情報とを、メモリに予め記憶しておき、当該光ディスクに対する再生処理が開
始し、当該光ディスクから読み出された音声情報をリアルタイムで検出し、その音声情報
に有害語句が含まれているか否かを前記メモリに記憶されている有害語句情報に基づいて
判定する有害語句判定手段と、前記音声情報に有害語句が含まれると判定された場合に、
入力されている個人情報が前記メモリに記憶されている個人情報に含まれているか否かを
検出して、前記入力されている個人情報は読み込めたか否かを判定する個人情報読込み判
定手段と、前記音声情報に有害語句が含まれていないと判定された場合、あるいは前記入
力されている個人情報は読み込めたと判定された場合に、通常の再生処理を行う通常再生
処理手段と、前記音声情報に有害語句が含まれ、かつ個人情報は読み込めなかったと判定
された場合に、当該有害語句の音声をリアルタイムでミュートする音声ミュート処理手段
と、当該有害語句の字幕があれば、そのときの字幕をリアルタイムでミュートする字幕ミ
ュート処理手段と、当該有害語句の音声をミュートするときに当該有害語句に関連する画
像をリアルタイムでミュートまたは不鮮明にする画像ミュート／不鮮明処理手段とを有す
るシステムコントローラを備えたことを特徴とする光ディスク再生装置。
【請求項２】
光ディスクに記録された情報を再生する光ディスク再生装置において、設定年齢以下の
視聴者にとっては有害となる有害語句情報と、視聴権限を有する一人以上のユーザの個人
情報とを、メモリに予め記憶しておき、当該光ディスクに対する再生処理が開始し、当該
光ディスクから読み出された音声情報に前記メモリに記憶されている有害語句が含まれて
いる場合は、前記メモリに記憶されている個人情報を持っていて視聴権限を有するユーザ
にのみ、有害語句の音声も再生可能にするように制御を行うシステムコントローラを備え
たことを特徴とする光ディスク再生装置。
【請求項３】
前記システムコントローラは、当該光ディスクに対する再生処理が開始し、当該光ディ
スクから読み出された音声情報をリアルタイムで検出し、その音声情報に有害語句が含ま
れているか否かを前記メモリに記憶されている有害語句情報に基づいて判定する有害語句
判定手段と、前記音声情報に有害語句が含まれると判定された場合に、入力されている個
人情報が前記メモリに記憶されている個人情報に含まれているか否かを検出して、前記入
力されている個人情報は読み込めたか否かを判定する個人情報読込み判定手段と、前記音
声情報に有害語句が含まれていないと判定された場合、あるいは前記入力されている個人
情報は読み込めたと判定された場合に、通常の再生処理を行う通常再生処理手段と、前記
音声情報に有害語句が含まれ、かつ個人情報は読み込めなかったと判定された場合に、当
該有害語句の音声をリアルタイムでミュートする音声ミュート処理手段とを備えたことを
特徴とする請求項２に記載の光ディスク再生装置。
【請求項４】
前記システムコントローラは、当該有害語句の字幕があれば、そのときの字幕をリアル
タイムでミュートする字幕ミュート処理手段を備えたことを特徴とする請求項３に記載の
光ディスク再生装置。
【請求項５】
前記システムコントローラは、当該有害語句の音声をミュートするときに当該有害語句
に関連する画像をリアルタイムでミュートまたは不鮮明にする画像ミュート／不鮮明処理
手段を備えたことを特徴とする請求項３に記載の光ディスク再生装置。
【請求項６】
前記設定年齢は変更可能であることを特徴とする請求項２に記載の光ディスク再生装置
。
【発明の詳細な説明】
【技術分野】
【０００１】
本発明は、光ディスクに記録された情報を再生する光ディスク再生装置に関し、特に、
視聴制限を行うパレンタル機能を有する光ディスク再生装置に関する。
【背景技術】
【０００２】
近年、ＤＶＤ（Digital Versatile Disk）などの光ディスクが普及しつつあり、このＤ
ＶＤにはデジタル圧縮された映像情報および音声情報が記録されている。ところで、ＤＶ
Ｄに記録されている映画などには、暴力シーンやわいせつシーンなど、子供の教育上好ま
しくないシーンが含まれていることが多い。そこで、近年、このような教育上問題のある
シーンについては、その再生に対して何らかの視聴制限の規制が設けられている。このよ
うな規制をパレンタルと呼び、ＤＶＤなどの光ディスクには内容に応じて視聴制限を行う
パレンタルレベルが予め設定されている。
【０００３】
一方、ＤＶＤなどの光ディスクの情報を再生する光ディスク再生装置では、光ディスク
の情報の再生を制限するパレンタル機能を有し、ユーザにより設定された装置のパレンタ
ルレベルがメモリに記憶されている。例えば、パレンタルレベルが低い方から順番に１，
２，３，４，５，６，７，８のレベルがあり、装置のパレンタルレベルが５に設定されて
いる場合、光ディスクではパレンタルレベル５以下の情報が再生できるが、パレンタルレ
ベル６，７，８の情報は再生することができないようになっている。
【０００４】
装置のパレンタルレベルは、ユーザが光ディスク再生装置のリモートコントローラなど
を操作して任意に設定できるようになっている。また、装置のパレンタルレベルを変更す
るときは、ユーザが予め登録した数桁の数列からなる暗証番号をパスワードとして装置に
入力し、パレンタルロックを解除してパレンタルレベルの変更を行っている。
【特許文献１】特開２０００−３３９８５３号公報
【発明の開示】
【発明が解決しようとする課題】
【０００５】
しかしながら、前述したような従来技術では、光ディスクに予め書き込まれているパレ
ンタルレベルと装置側に設定されているパレンタルレベルとによってパレンタル機能（視
聴制限機能）を実施しているので、パレンタル機能を実現するために、光ディスクへのパ
レンタルレベルの書き込みを行わなければならず、これにより、光ディスクへのパレンタ
ルレベルの書き込み作業による光ディスクのコストアップを招いたり、また、装置側にお
いては、パレンタルレベルが書き込まれていない光ディスクに対しては、視聴制限されな
いので、子供は勿論、誰でも自由に視聴することができるようになり、非常に問題となる
。
【０００６】
なお、特許文献１に記載の従来技術では、ユーザ操作によって入力された暗証番号と、
メモリに予め記憶された暗証番号との比較を行い、両暗証番号が不一致である場合は、再
生制限が設定されているコンテンツの再生を禁止し、両暗証番号が一致した場合は、少な
くとも再生制限が設定されているコンテンツの再生を許可するように制御することで、暗
証番号を正しく入力したユーザに対してのみ、再生制限が設定されたコンテンツを再生可
能とするようになっている。
【０００７】
しかしながら、この従来技術の場合も、コンテンツに設定されている再生制限（パレン
タルレベルに相当）によって、パレンタル機能（視聴制限機能）を実施しているので、パ
レンタル機能を実現するために、光ディスクへのパレンタルレベルの書き込みを行わなけ
ればならず、これにより、光ディスクへのパレンタルレベルの書き込み作業による光ディ
スクのコストアップを招いたり、また、装置側においては、パレンタルレベルが書き込ま
れていない光ディスクに対しては、視聴制限されないので、子供は勿論、誰でも自由に視
聴することができるようになり、非常に問題となる。
【０００８】
本発明は、上記のような課題を解決するためになされたもので、光ディスクへのパレン
タルレベルの書き込みを不要とし、また、パレンタルレベルが書き込まれていない光ディ
スクであっても、視聴制限することができる機能を有する光ディスク再生装置を提供する
ことを目的とする。
【課題を解決するための手段】
【０００９】
上記目的を達成するために、請求項１の発明は、変更可能な設定年齢以下の視聴者にと
っては有害となる有害語句情報と、視聴権限を有する一人以上のユーザの個人情報とを、
メモリに予め記憶しておき、当該光ディスクに対する再生処理が開始し、当該光ディスク
から読み出された音声情報をリアルタイムで検出し、その音声情報に有害語句が含まれて
いるか否かを前記メモリに記憶されている有害語句情報に基づいて判定する有害語句判定
手段と、前記音声情報に有害語句が含まれると判定された場合に、入力されている個人情
報が前記メモリに記憶されている個人情報に含まれているか否かを検出して、前記入力さ
れている個人情報は読み込めたか否かを判定する個人情報読込み判定手段と、前記音声情
報に有害語句が含まれていないと判定された場合、あるいは前記入力されている個人情報
は読み込めたと判定された場合に、通常の再生処理を行う通常再生処理手段と、前記音声
情報に有害語句が含まれ、かつ個人情報は読み込めなかったと判定された場合に、当該有
害語句の音声をリアルタイムでミュートする音声ミュート処理手段と、当該有害語句の字
幕があれば、そのときの字幕をリアルタイムでミュートする字幕ミュート処理手段と、当
該有害語句の音声をミュートするときに当該有害語句に関連する画像をリアルタイムでミ
ュートまたは不鮮明にする画像ミュート／不鮮明処理手段とを有するシステムコントロー
ラを備えたことを特徴とする光ディスク再生装置を提供する。
【００１０】
この構成において、当該光ディスクに対する再生処理が開始し、当該光ディスクから読
み出された音声情報がリアルタイムで検出され、その音声情報に有害語句が含まれている
か否かがメモリに記憶されている有害語句情報に基づいて判定される。前記音声情報に有
害語句が含まれると判定された場合、入力されている個人情報が前記メモリに記憶されて
いる個人情報に含まれているか否かが検出されて、前記入力された個人情報は読み込めた
か否かが判定される。
【００１１】
即ち、ユーザにより入力された個人情報が前記メモリ内に有れば、その個人情報は読み
込まれるので、前記入力された個人情報は読み込めたと判定される。一方、ユーザにより
入力された個人情報が前記メモリ内に無ければ、その個人情報は読み込まれないので、前
記入力された個人情報は読め込めなかったと判定される。
【００１２】
前記音声情報に有害語句が含まれていないと判定された場合、あるいは個人情報は読み
込めたと判定された場合には、通常の再生処理が行われる。個人情報は読み込めなかった
と判定された場合には、当該有害語句の音声をリアルタイムでミュートする処理が行われ
る。また、それに伴って、当該有害語句の字幕があれば、そのときの字幕がリアルタイム
でミュートされ、また、当該有害語句に関連する画像がリアルタイムでミュートされ、あ
るいは不鮮明（全体的または部分的に画像をぼやかしたり、部分的にモザイクをかけたり
する処理）にする処理が行われる。
【００１３】
この構成によれば、光ディスクから読み出された音声情報に含まれる有害語句、および
ユーザの個人情報に基づいて視聴制限がされるので、光ディスクへのパレンタルレベルの
書き込み作業が不要になって、光ディスクのコストアップを抑制でき、また、パレンタル
レベルが書き込まれていない光ディスクであっても、視聴制限を行うことができ、パレン
タルの精度が向上する。また、元々視聴制限がかかっていない光ディスクの再生を行って
、万が一、有害語句が含まれていた場合でも、その有害語句をリアルタイムでミュートす
ると共に、それに伴って、当該有害語句の字幕があれば、そのときの字幕をミュートし、
また、当該有害語句に関連する画像をミュートあるいは不鮮明にするので、視聴権限を有
しないユーザに対するパレンタルの精度が更に向上する。
【００１４】
請求項２の発明は、設定年齢以下の視聴者にとっては有害となる有害語句情報と、視聴
権限を有する一人以上のユーザの個人情報とを、メモリに予め記憶しておき、当該光ディ
スクに対する再生処理が開始し、当該光ディスクから読み出された音声情報に前記メモリ
に記憶されている有害語句が含まれている場合は、前記メモリに記憶されている個人情報
を持っていて視聴権限を有するユーザにのみ、有害語句の音声も再生可能にするように制
御を行うシステムコントローラを備えたことを特徴とする光ディスク再生装置を提供する
。
【００１５】
この構成において、当該光ディスクに対する再生処理が開始し、当該光ディスクから読
み出された音声情報にメモリに記憶されている有害語句が含まれている場合は、視聴制限
をしなければならないが、前記メモリに記憶されている個人情報を持っていて視聴権限を
有するユーザに対しては、有害語句の音声も再生可能になる。
【００１６】
この構成によれば、音声情報に含まれる有害語句、およびユーザの個人情報に基づいて
視聴制限がされるので、光ディスクへのパレンタルレベルの書き込み作業が不要になって
、光ディスクのコストアップを抑制でき、また、パレンタルレベルが書き込まれていない
光ディスクであっても、視聴制限を行うことができ、パレンタルの精度が向上する。
【００１７】
請求項３の発明においては、請求項２の発明の光ディスク再生装置におけるシステムコ
ントローラは、当該光ディスクに対する再生処理が開始し、当該光ディスクから読み出さ
れた音声情報をリアルタイムで検出し、その音声情報に有害語句が含まれているか否かを
前記メモリに記憶されている有害語句情報に基づいて判定する有害語句判定手段と、前記
音声情報に有害語句が含まれると判定された場合に、入力されている個人情報が前記メモ
リに記憶されている個人情報に含まれているか否かを検出して、前記入力されている個人
情報は読み込めたか否かを判定する個人情報読込み判定手段と、前記音声情報に有害語句
が含まれていないと判定された場合、あるいは前記入力されている個人情報は読み込めた
と判定された場合に、通常の再生処理を行う通常再生処理手段と、前記音声情報に有害語
句が含まれ、かつ個人情報は読み込めなかったと判定された場合に、当該有害語句の音声
をリアルタイムでミュートする音声ミュート処理手段とを備えたので、光ディスクから読
み出された音声情報に含まれる有害語句、およびユーザの個人情報に基づいて、視聴制限
を行うことが可能となる。
【００１８】
請求項４の発明においては、請求項３の発明の光ディスク再生装置におけるシステムコ
ントローラは、当該有害語句の字幕があれば、そのときの字幕をリアルタイムでミュート
する字幕ミュート処理手段を備えたので、読み出された音声情報に有害語句が含まれてい
た場合、その有害語句の字幕をリアルタイムでミュートすることができ、パレンタルの精
度の向上を更に図ることに貢献できる。
【００１９】
請求項５の発明においては、請求項３の発明の光ディスク再生装置におけるシステムコ
ントローラは、当該有害語句の音声をミュートするときに当該有害語句に関連する画像を
リアルタイムでミュートまたは不鮮明にする画像ミュート／不鮮明処理手段を備えたので
、読み出された音声情報に有害語句が含まれていた場合、その有害語句に関連する画像を
リアルタイムでミュートまたは不鮮明にすることができ、パレンタルの精度の向上を更に
図ることに貢献できる。
【００２０】
請求項６の発明においては、請求項２の発明の光ディスク再生装置における設定年齢は
変更可能であるので、視聴者の年齢に応じてパレンタルレベルを変更でき、使い勝手が向
上する。
【発明の効果】
【００２１】
以上のように本発明によれば、変更可能な設定年齢以下の視聴者にとっては有害となる
有害語句情報と、視聴権限を有する一人以上のユーザの個人情報とを、メモリに予め記憶
しておき、当該光ディスクに対する再生処理が開始し、当該光ディスクから読み出された
音声情報をリアルタイムで検出し、その音声情報に有害語句が含まれているか否かを前記
メモリに記憶されている有害語句情報に基づいて判定する有害語句判定手段と、前記音声
情報に有害語句が含まれると判定された場合に、入力されている個人情報が前記メモリに
記憶されている個人情報に含まれているか否かを検出して、前記入力されている個人情報
は読み込めたか否かを判定する個人情報読込み判定手段と、前記音声情報に有害語句が含
まれていないと判定された場合、あるいは前記入力されている個人情報は読み込めたと判
定された場合に、通常の再生処理を行う通常再生処理手段と、前記音声情報に有害語句が
含まれ、かつ個人情報は読み込めなかったと判定された場合に、当該有害語句の音声をリ
アルタイムでミュートする音声ミュート処理手段と、当該有害語句の字幕があれば、その
ときの字幕をリアルタイムでミュートする字幕ミュート処理手段と、当該有害語句の音声
をミュートするときに当該有害語句に関連する画像をリアルタイムでミュートまたは不鮮
明にする画像ミュート／不鮮明処理手段とを有するシステムコントローラを備えたので、
光ディスクから読み出された音声情報に含まれる有害語句、およびユーザの個人情報に基
づいて視聴制限が行われ、光ディスクへのパレンタルレベルの書き込み作業が不要になっ
て、光ディスクのコストアップを抑制でき、また、パレンタルレベルが書き込まれていな
い光ディスクであっても、視聴制限を行うことができ、パレンタルの精度が向上する。ま
た、元々視聴制限がかかっていない光ディスクの再生を行って、万が一、有害語句が含ま
れていた場合でも、その有害語句をリアルタイムでミュートすると共に、それに伴って、
当該有害語句の字幕があれば、そのときの字幕をミュートし、また、当該有害語句に関連
する画像をミュートあるいは不鮮明にするので、視聴権限を有しないユーザに対するパレ
ンタルの精度が更に向上する。
【００２２】
また、本発明によれば、設定年齢以下の視聴者にとっては有害となる有害語句情報と、
視聴権限を有する一人以上のユーザの個人情報とを、メモリに予め記憶しておき、当該光
ディスクに対する再生処理が開始し、当該光ディスクから読み出された音声情報に前記メ
モリに記憶されている有害語句が含まれている場合は、前記メモリに記憶されている個人
情報を持っていて視聴権限を有するユーザにのみ、有害語句の音声も再生可能にするよう
に制御を行うシステムコントローラを備えたので、音声情報に含まれる有害語句、および
ユーザの個人情報に基づいて視聴制限が行われ、光ディスクへのパレンタルレベルの書き
込み作業が不要になって、光ディスクのコストアップを抑制でき、また、パレンタルレベ
ルが書き込まれていない光ディスクであっても、視聴制限を行うことができ、パレンタル
の精度が向上する。
【発明を実施するための最良の形態】
【００２３】
以下、添付図面を参照しつつ、本発明の実施の形態について説明する。図１は本発明の
一実施形態に係る光ディスク再生装置の構成を示すブロック図である。この光ディスク再
生装置は、光ディスク１を回転させるスピンドルモータ５と、光ディスク１に記録された
情報を再生するためのレーザ光を出射すると共に光ディスク１からの反射光を受光する光
ピックアップ２と、この光ピックアップ２を光ディスク１の半径方向に移動させるための
スレッド３と、システムコントローラ２２の指示に応じてスピンドルモータ５およびスレ
ッド３を駆動すると共に光ピックアップ２に内蔵された対物レンズ（図示せず）を動かす
ことによりレーザ光の焦点位置を光ディスク１の記録面に対して垂直方向および水平方向
に移動させる制御を行うサーボ制御部４とを備えている。
【００２４】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２５】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２６】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２７】
また、この光ディスク再生装置は、システムコントローラ２２に対して、再生指示を与
えるための再生キーや、再生停止を指示するための停止キーなどの各種操作キーを有する
操作部２１と、装置全体を制御する前記システムコントローラ２２とを備えている。なお
、操作部２１は、リモートコントローラであっても良いし、装置本体の操作パネルに設け
られた操作部であっても良い。
【００２８】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４とを備えている。特に、本実施形態の場合、変更可能な設定年齢以下
の視聴者にとっては有害となる有害語句情報と、視聴権限を有する一人以上のユーザの個
人情報とが、フラッシュＲＯＭ２３に予め記憶されている。なお、有害語句情報は、光デ
ィスク再生装置の出荷前に工場などでフラッシュＲＯＭ２３に書き込まれる。また、有害
語句情報は、ユーザの光ディスク再生装置への入力操作によっても追加可能である。また
、ユーザの個人情報は、パスワードなどであり、ユーザの光ディスク再生装置への入力操
作によってフラッシュＲＯＭ２３に書き込まれる。
【００２９】
本実施形態の特徴としてシステムコントローラ２２には、当該光ディスクに対する再生
処理が開始し、当該光ディスクから読み出された音声情報をリアルタイムで検出し、その
音声情報に有害語句が含まれているか否かをフラッシュＲＯＭ２３に記憶されている有害
語句情報に基づいて判定する有害語句判定手段２２１と、前記音声情報に有害語句が含ま
れると判定された場合に、入力されている個人情報がフラッシュＲＯＭ２３に記憶されて
いる個人情報に含まれているか否かを検出して、前記入力されている個人情報は読み込め
たか否かを判定する個人情報読込み判定手段２２２と、前記音声情報に有害語句が含まれ
ていないと判定された場合、あるいは前記入力されている個人情報は読み込めたと判定さ
れた場合に、通常の再生処理を行う通常再生処理手段２２３と、前記音声情報に有害語句
が含まれ、かつ個人情報は読み込めなかったと判定された場合に、当該有害語句の音声を
リアルタイムでミュートする音声ミュート処理手段２２４と、当該有害語句の字幕があれ
ば、そのときの字幕をリアルタイムでミュートする字幕ミュート処理手段２２５と、当該
有害語句の音声をミュートするときに当該有害語句に関連する画像をリアルタイムでミュ
ートまたは不鮮明にする画像ミュート／不鮮明処理手段２２６とが備えられている。
【００３０】
図２は、本実施形態の光ディスク再生装置により再生される光ディスクにおける例えば
編集情報の記録フォーマットの一例図である。図２に示すように編集情報は、例えば画像
３１と音声３２と字幕３３が１フレーム単位で、複数個のフレームが連続して光ディスク
のトラックに記録されている。ここで言う１フレームとは、１画面で表示される字幕分の
フレームのことを言う。音声３２，３５には、音声としての例えば日本語および英語が記
録されており、字幕３３，３６には、字幕としての例えば日本語および英語が記録されて
いる。
【００３１】
図３は本実施形態の光ディスク再生装置における視聴制限機能の動作を説明するための
フローチャートである。このフローチャートを参照して視聴制限機能の動作について説明
する。
【００３２】
この光ディスク再生装置において、再生しようとする光ディスク１が装填され、操作部
２１の再生キーが押下されると（ステップＳ１）、システムコントローラ２２は再生処理
を開始する（ステップＳ２）。これにより、光ディスク１からの情報（この例の場合、画
像と音声と字幕とを含む編集情報）が光ピックアップ２によりＲＦ信号として読み出され
、ＲＦアンプ６で増幅されて、更に、デジタル信号処理部８に供給される。デジタル信号
処理部８では、ＲＦアンプ６から出力されたＲＦ信号をデジタルデータに変換した後に、
光ディスク１のデータフォーマットに応じた信号復調処理と誤り訂正処理を行って生成し
たデータをＲＡＭ７に格納する。
【００３３】
デジタル信号処理部８によりＲＡＭ７に格納されたデータのうち、音声情報がシステム
コントローラ２２の有害語句判定手段２２１により、リアルタイムで検出され（ステップ
Ｓ３）、この検出された音声情報に有害語句が含まれているか否かがフラッシュＲＯＭ２
３に記憶されている有害語句情報に基づいて判定される（ステップＳ４）。即ち、前記検
出された音声情報がフラッシュＲＯＭ２３に記憶されている有害語句情報の中に存在して
いるか否かが判定される。この判定の結果、音声情報に有害語句が含まれていないことが
分かった場合は、通常の再生処理（ステップＳ７）に移るが、音声情報に有害情報が含ま
れていることが分かった場合には、以下の処理で視聴制限が行われる。
【００３４】
再生処理開始前に、ユーザが操作部２１を操作することにより入力されているパスワー
ドなどの個人情報は、フラッシュＲＯＭ２３に記憶されている個人情報に含まれるか否か
が判定される（ステップＳ５）。即ち、ユーザにより入力された個人情報がフラッシュＲ
ＯＭ２３に有るか否かが判定される。
【００３５】
入力されている個人情報がフラッシュＲＯＭ２３に有った場合、その個人情報は装置に
読込み可能となるので、個人情報読込み判定手段２２２により、その個人情報を読み込め
たと判定され（ステップＳ６）、次に、通常再生処理手段２２３により、通常の再生処理
が行われる（ステップＳ９）。そして、この視聴制限に関する処理は終了する。
【００３６】
一方、入力されている個人情報がフラッシュＲＯＭ２３に無かった場合、その個人情報
は装置には受け付けられないので、個人情報読込み判定手段２２２により、その個人情報
を読み込めなかったと判定され（ステップＳ８）、次に、音声ミュート処理手段２２４に
より、当該有害語句の音声をリアルタイムでミュートする音声ミュート処理が行われる（
ステップＳ９）。これにより、デジタル信号処理部８から出力される編集情報のデータの
うち音声データ、即ち、ストリーム分離部９を介してオーディオデコーダ１１に供給され
る音声データは、有害語句の音声が削除されたものとなり、スピーカ１９からは発生しな
いことになる。
【００３７】
また、このとき当該有害語句の字幕があれば、当該有害語句の字幕をリアルタイムでミ
ュートする字幕ミュート処理が字幕ミュート処理手段２２５により行われる（ステップＳ
１０）。これにより、デジタル信号処理部８から出力される編集情報のデータのうち字幕
データ、即ち、ストリーム分離部９を介してサブピクチャデコーダ１３に供給される字幕
データは、有害語句の字幕が削除されたものとなり、ディスプレイ装置２０には表示され
ないことになる。
【００３８】
また、このとき当該有害語句に関連する画像については、画像ミュート／不鮮明処理手
段２２６により、ミュートあるいは不鮮明（全体的または部分的に画像をぼやかしたり、
部分的にモザイクをかけたりする処理）にする画像ミュート／不鮮明処理がなされる（ス
テップＳ１１）。これにより、デジタル信号処理部８から出力される編集情報のデータの
うち画像データ、即ち、ストリーム分離部９を介してビデオデコーダ１５に供給される画
像データは、有害語句に関連する画像がミュートあるいは不鮮明になったものとなり、デ
ィスプレイ装置２０にはミュートによる非表示あるいは不鮮明に表示される。
【００３９】
以上説明したように本実施形態によれば、光ディスクから読み出された音声情報に含ま
れる有害語句、およびユーザの個人情報に基づいて視聴制限が行われ、光ディスクへのパ
レンタルレベルの書き込み作業が不要になって、光ディスクのコストアップを抑制でき、
また、パレンタルレベルが書き込まれていない光ディスクであっても、視聴制限を行うこ
とができ、パレンタルの精度が向上する。また、元々視聴制限がかかっていない光ディス
クの再生を行って、万が一、有害語句が含まれていた場合でも、その有害語句をリアルタ
イムでミュートすると共に、それに伴って、当該有害語句の字幕があれば、そのときの字
幕をミュートし、また、当該有害語句に関連する画像をミュートあるいは不鮮明にするの
で、視聴権限を有しないユーザに対するパレンタルの精度が更に向上する。
【図面の簡単な説明】
【００４０】
【図１】本発明の一実施形態に係る光ディスク再生装置の構成を示すブロック図である。
【図２】前記実施形態の光ディスク再生装置により再生される光ディスクにおける例えば編集情報の記録フォーマットの一例図である。
【図３】前記実施形態の光ディスク再生装置における視聴制限機能の動作を説明するためのフローチャートである。
【符号の説明】
【００４１】
１    光ディスク
２２    システムコントローラ
２３    フラッシュＲＯＭ（メモリ）
２２１    有害語句情報判定手段
２２２    個人情報読込み判定手段
２２３    通常再生処理手段
２２４    音声ミュート処理手段
２２５    字幕ミュート処理手段
２２６    画像ミュート／不鮮明処理手段
【図１】
2005086483.tif 000003
【図２】
2005086483.tif 000004
【図３】
2005086483.tif 000005